(57)【要約】      （修正有）【課題】デッドスペースの減少を検証できる人工気道装置を提供する。【解決手段】患者内へ挿入されるようになっている気道チューブであって、気道チューブの近位端から遠位端まで延びる孔を有する気道チューブと、気道チューブの近位端に接続され、長手方向孔１２を有するコネクタとを含む人工気道装置であって、コネクタは、フランジ部分１４から延びて、気道チューブの近位端で孔内へ挿入できるようになっている第１の壁部分１８と、第１の壁部分１８とは反対の方向でフランジ部分１４から延びて、呼吸機器に接続できるようになっている第２の壁部分２０と、第１の壁部分１８とは反対の方向でフランジ部分１４から延びる第３の壁部分２１と、を備え、第１の壁部分１８に、細長いスロット１９が設けられている。【選択図】図６
0003217511.tif 000002
【実用新案登録請求の範囲】
【請求項１】
患者内へ挿入されるようになっている気道チューブであって、該気道チューブの近位端から遠位端まで延びる孔を有する気道チューブと、前記気道チューブの前記近位端に接続され、長手方向孔を有するコネクタとを含む人工気道装置であって、前記コネクタは、
フランジ部分から延びて、前記気道チューブの前記近位端で前記孔内へ挿入できるようになっている第１の壁部分と、
前記第１の壁部分とは反対の方向で前記フランジ部分から延びて、呼吸機器に接続できるようになっている第２の壁部分と、
を備え、
前記コネクタは、前記第１の壁部分とは反対の方向で前記フランジ部分から延びる第３の壁部分を更に備える、人工気道装置。
【請求項２】
前記コネクタの前記長手方向孔が前記第１の壁部分と前記第３の壁部分とによって形成される請求項１に記載の人工気道装置。
【請求項３】
前記第３の壁部分が前記第２の壁部分の内側で延びる請求項１又は２に記載の人工気道装置。
【請求項４】
前記壁部分が円筒形状である請求項１から３のいずれか一項に記載の人工気道装置。
【請求項５】
前記第２の壁部分と前記第３の壁部分とが同軸である請求項４に記載の人工気道装置。
【請求項６】
前記長手方向孔は、少なくとも前記フランジ部分付近で周方向及び長手方向のいずれにおいても滑らかで連続的な孔面を有する請求項１から５のいずれか一項に記載の人工気道装置。
【請求項７】
前記気道装置は、声門上気道装置であり、好ましくは喉頭マスクである請求項１から６のいずれか一項に記載の人工気道装置。
【請求項８】
前記気道装置が気管内チューブである請求項１から７のいずれか一項に記載の人工気道装置。
【請求項９】
前記気道チューブの近位端に接続されるようになっている、長手方向孔を有するコネクタであって、
フランジ部分から延びて、前記気道チューブの前記近位端で前記孔内へ挿入できるようになっている第１の壁部分と、
前記第１の壁部分とは反対の方向で前記フランジ部分から延びて、呼吸機器に接続できるようになっている第２の壁部分と、
を備え、
前記コネクタは、前記第１の壁部分とは反対の方向で前記フランジ部分から延びる第３の壁部分を更に備える、コネクタ。
【考案の詳細な説明】
【技術分野】
【０００１】
本考案は、コネクタを有する人工気道装置に関する。
【背景技術】
【０００２】
喉頭マスク及び気管内チューブなどの人工気道装置の技術分野では、人工呼吸器などの呼吸機器に対する人工気道装置の接続を可能にするために気道チューブの近位端にコネクタを設けることが良く知られている。そのようなコネクタは、例えば、喉頭マスクのためのコネクタを開示する特許文献１から知られており、このコネクタは、コネクタ本体と、該コネクタ本体から径方向に延びるフランジ部分と、使用時に気道チューブを支持するために喉頭マスクの気道チューブの近位端にある孔内へ挿入できるようになっている挿入部分と、機械コネクタ部分とを備える。
【０００３】
一般に、人工気道装置は、呼吸回路を有する人工呼吸器などの呼吸機器に対して、患者から呼吸機器まで回路が形成されるように接続される。その状況では、呼吸機器から離れた患者側の死腔が、呼気ガスの再呼吸量を決定する。死腔は、ガス交換、すなわち、酸素と二酸化炭素とのやりとりに関与しない吸入空気の体積である。これは、一般に、より大きな１回肺気量を伴う成人にとっては問題ないが、１回換気量が患者側の死腔に近づく小児患者にとっては問題となり得る。一般に、人工気道装置のデッドスペース内の呼気ガスの再呼吸は、自発呼吸であろうと機械的な人工呼吸であろうと、どんな患者、すなわち、小児又は大人の患者にとっても問題となり得る。呼気ガスの再呼吸に起因するＣＯ２の蓄積は、最終的に、組織ｐＨを低下させる可能性があり、これは重大な結果をもたらし得る。更に、ＣＯ２の蓄積が酸素の減少と関連付けられる可能性があり、これはより緊急且つ致命的な結果をもたらし得る。これは、小児患者にとって特に問題であるが、肥満、喘息、拘束性肺疾患患者などの酸素貯蔵量の少ない他の患者にとっても問題である。
【０００４】
これらの問題は、気道チューブ用の二重壁コネクタが開示される特許文献２で扱われる。このコネクタは、デッドスペースそれ自体の問題を解決するが、コネクタは、特に病院の処置に関して、しかし製造に関しても、幾つかの欠点を有する。
【０００５】
より具体的には、特許文献２の二重壁コネクタは、中心開口を有する中央環状リブを備える。近位端、すなわち、呼吸回路に接続されるようになっている端部には、中央リブから延びる２つの同心的な壁部分が存在し、外側同心壁の外面は、呼吸機器からの標準化されたチューブに接続されるべき標準的なインタフェースとして構成される。内側同心壁は、空気が通過できるようにするために中心開口と連通する。２つの同心壁の高さは基本的に同じであり、それにより、これらの同心壁間に環状の空洞が形成される。この空洞内の空気は、準定常であり、コネクタを通じた空気交換に関与せず、したがって、事実上デッドスペースが減少する。
【０００６】
やや類似する態様では、２つの同心壁部分が、中央リブの反対側にも設けられ、すなわち、コネクタの遠位端へ向けて延び、この場合、内側同心壁は、空気が通過できるようにするために中心開口と連通する。内側同心壁部分及び外側同心壁部分の両方のそれぞれの内面は、患者に通じる気道チューブの近位端を受けるためにいずれも先細りになっている。気道チューブの詳細は開示されない。このように、気道チューブの所望のサイズに応じて、気道チューブは、外壁部分又は内壁部分のいずれかの内面により形成される僅かに円錐状の空洞内へ挿入され得る。
【０００７】
このようにコネクタを気道チューブが挿入できるようにすると、少なくとも２つの問題がもたらされる。
【０００８】
１つの問題は、その近位取付け端部に外側溝又は他の表面特徴を有する場合がある、一般的には逆テーパを有する、すなわち、近位取付け端部から遠位端のマスク部へ向けて細くなる、喉頭マスクなどの幾つかの気道チューブと共にコネクタを使用することができないことである。
【０００９】
他の問題は、気道チューブの正しい挿入を容易に検証できないことである。すなわち、病院関係者は、気道チューブが完全に挿入されるようにする簡単な方法を持たなければならない。そうでなければ、デッドスペースが増大して望ましくなく、この増大が検出されないと思われるからである。特にチューブが内側円筒壁部分に挿入されるときに、外側同心壁部分及び内側同心壁部分が視界を歪ませる又は不明瞭にするため、目視検査は不可能である。勿論、製造業者は製造中に品質管理のための他の可能性を有するが、気道装置が予め組み立てられて出荷される場合には、同じことが製造業者による品質管理にも明らかに当てはまる。
【先行技術文献】
【特許文献】
【００１０】
【特許文献１】国際公開第２００７／０７１４２９号
【特許文献２】米国特許出願第２０１４／０３３８６６９号明細書
【考案の概要】
【考案が解決しようとする課題】
【００１１】
上記に鑑み、本考案の目的は、デッドスペースの減少を検証できる人工気道装置を提供することである。
【課題を解決するための手段】
【００１２】
本考案の第１の態様において、この目的は、患者内へ挿入されるようになっている気道チューブであって、該気道チューブの近位端から遠位端まで延びる孔を有する気道チューブと、気道チューブの近位端に接続される、長手方向孔を有するコネクタとを含む人工気道装置であって、コネクタが、フランジ部分から延びて、気道チューブの近位端で孔内へ挿入できるようになっている第１の壁部分と、第１の壁部分とは反対の方向でフランジ部分から延びて、呼吸機器に接続できるようになっている第２の壁部分とを備え、コネクタが、第１の壁部分とは反対の方向でフランジ部分から延びる第３の壁部分を更に備える、人工気道装置によって達成される。フランジ部分から延びて適合する気道チューブの近位端の孔内に挿入できるようになっている第１壁部分を有することにより、気道チューブの近位端がフランジと当接するまでコネクタを気道チューブ内へ単に挿入するだけでよい。この当接は、コネクタが完全に且つ正確に挿入されるという明確な触覚フィードバックを与え、疑わしい場合には、フランジと気道チューブの近位端との間に隙間が存在しないという簡単な目視検査によってこれを容易に検証できる。同時に、第３の壁を設けることにより、特に小児サイズの人工気道装置で使用されるコネクタに関してデッドスペースが大幅に減少される。第２の壁部分と同じ方向に延びる第３の壁部分を設けることにより、コネクタの内部デッドスペースを減らす又は調整することができる。コネクタは一般に射出成形され、そのため、例えば呼吸回路又は人工蘇生器の標準的なコネクタと常に完璧に適合するように厳格な公差内で成形されなければならない第２の壁部分の反りを避けるための付加的な冷却を必要とせずに第３の壁部分を設けることができる。
【００１３】
一実施形態において、コネクタの長手方向孔は、第１の壁部分と第３の壁部分とによって形成される。更なる実施形態では、第３の壁部分が第２の壁部分の内側で延びる。更に、壁部分が円筒形状であることが実質的に好ましい。更なる実用的な実施形態では、第２壁部分と第３壁部分とが同軸である。
【００１４】
本考案の第２の態様では、気道チューブの近位端に接続されるようになっている、長手方向孔を有するコネクタによって目的が達成され、該コネクタは、フランジ部分から延びて、気道チューブの近位端で孔内へ挿入できるようになっている第１の壁部分と、第１の壁部分とは反対の方向でフランジ部分から延びて、呼吸機器に接続できるようになっている第２の壁部分とを備え、コネクタは、第１の壁部分とは反対の方向でフランジ部分から延びる第３の壁部分を更に備える。
【００１５】
本考案の第２の態様の実用的な実施形態において、コネクタは、第１の壁部分とは反対方向でフランジ部分から延びる第３の壁部分を更に備える。
【００１６】
一実施形態において、コネクタの長手方向孔は、第１の壁部分と第３の壁部分とによって形成される。更なる実施形態では、第３の壁部分が第２の壁部分の内側で延びる。更に、壁部分が円筒形状であることが実質的に好ましい。更なる実用的な実施形態では、第２壁部分と第３壁部分とが同軸である。
【００１７】
ここで、非限定的な典型的実施形態に基づき、図面を参照して、本考案を更に詳しく説明する。
【図面の簡単な説明】
【００１８】
【図１】本考案に係るコネクタを有する喉頭マスクを示す。
【図２】本考案に係るコネクタの斜視図である。
【図３】本考案に係るコネクタの側面図である。
【図４】本考案に係るコネクタの異なる斜視図である。
【図５】本考案に係るコネクタの他の側面図である。
【図６】図５の線Ａ−Ａに沿う断面図である。
【考案を実施するための形態】
【００１９】
図１には、本考案の一実施形態に係るコネクタ２を有する喉頭マスク１が示される。図示の喉頭マスク１は、喉頭マスク１が患者内に配置されている状態で逆流が生じる場合に胃の内容物の除去を可能にする胃チューブ３を備える類のものであり、この場合、患者の喉頭入口は、気道チューブ５を介して患者に人工呼吸器をつけることができるようにマスク部４によってシールされる。気道チューブは患者内へ挿入されるようになっている。概略的に描かれる胃チューブ３を備える喉頭マスクは、現時点で存続期間が満了している米国特許第４９９５３８８号明細書から、特に米国特許第５２４１９５６号明細書から知られている。しかしながら、以下の説明から明らかになるように、本考案に係るコネクタは、この特定のタイプの喉頭マスクに限定されない。以下の説明では、本考案が喉頭マスクに関連して説明される。しかしながら、当業者に明らかになるように、本考案に係るコネクタ２は、喉頭チューブ及び気管内チューブなどの他の人工気道装置と組み合わせて使用されてもよい。
【００２０】
喉頭マスク１は患者内へ挿入されるようになっているため、喉頭マスクはフタル酸塩を含まないＰＶＣから形成されることが好ましい。喉頭マスク１の気道チューブ５は、気道チューブ５の近位端６から遠位端７まで延在する孔を有し、この孔は、マスク部４により取り囲まれる開口で終端する。一般に、図示の実施形態において、本考案に係る人工気道装置には、マスク部４などの膨張可能なカフが設けられる。膨張可能なカフは、人工気道装置を患者内に正しく配置された時点で所定の位置に保つ及び／又はシールするのに役立つ。気道チューブ５は、使用時に患者の歯が歯接触点で近位端と接触するように構成される。好ましくはコポリエステルから形成されるコネクタ２は、気道チューブ５の近位端６に嵌め込まれる。完全を期すため、喉頭マスク装置は膨張チューブ８も備え、この膨張チューブ８の遠位端は、膨張チューブの膨張のためにマスク部４と連通しており、また、膨張チューブの近位端は、マスク部４の膨張圧力の触覚検出を可能にするパイロットバルーン９で終端する。パイロットバルーン９は、パイロットバルーン９及び膨張チューブ８を介したマスク部の膨張及び収縮のためのシリンジの先端を挿入できるようになっているバルブ１０を備える。
【００２１】
コネクタは、図２〜図６に単独で示される。コネクタ２は、長手方向貫通孔１２を有する略円筒状のものである。コネクタ２の近位端は、喉頭マスクを呼吸機器に接続するようになっている標準化された機械コネクタ部分１３を備える。フランジ部分１４は、コネクタ本体から径方向に延びて、コネクタ２が気道チューブ５内に挿入されるときにストッパとしての機能を果たす。フランジ部分１４は、膨張チューブ８を解放可能に保持するようになっている切り欠き部１５を有してもよい。更に、フランジ部分１４は、胃チューブ３を保持して案内するようになっている切り欠き又は孔１６を有してもよい。コネクタ２の遠位端には、気道チューブ５の近位端の孔内に挿入できるようになっている挿入部分１７が設けられる。それにより、挿入部分１７は、使用時に気道チューブ５を支持する役目を果たす。コネクタ２は、気道チューブ５の近位端に解放可能に接続されてもよい。これは、例えば、気管内チューブなどの人工気道装置と共にコネクタ２が使用されるときに真価が認められ、この場合、気道チューブ５は、伝統的に、患者内への挿入後に長さ合わせて切断される。前述のように、これは、気管内チューブがフランジ部分１４に当接することを感じて見ることによって本考案がコネクタ及び気管内チューブの正確な組立て又は再組立ての検証を可能にするため、本考案が従来技術よりも有利である状況のうちの１つである。気管内チューブによる挿管が喉頭マスクを介して行なわれる場合も同様である。その場合には、喉頭マスクを抜去するために気管内チューブのコネクタを取り外してその後に再び取り付ける必要がある。
【００２２】
挿入部分１７は、フランジ部分１４から離れるように長手方向に延びる単一の第１の円筒壁１８によって形成される。射出成形後の金型からのコネクタの取り外しを容易にするために、細長いスロット１９が第１の円筒壁１８に設けられてもよい。機械コネクタ部分１３は、第１の円筒壁１８とは反対の長手方向に延びる第２の円筒壁２０を備える。機械コネクタ部分１３の第２の壁部分２０の外形及び形態は、そのような機械コネクタ部分の共通の標準規格によって決定される。図４に示されるように、機械コネクタ部分１３は、第１の円筒壁２０と同じ方向に延びる第３の円筒壁２１を更に備える。一般に、壁部分１８，２０，２１は円筒状又は略円筒状である。略円筒状とは、成形工具からの取り出しを容易にするために壁部分が僅かに円錐台状であることを意味する。図示の実施形態において、第２の壁部分２０の外面２３は、呼吸回路又は人工蘇生器などの呼吸装置の標準的なコネクタに対する安定した接続を確保するために僅かに円錐台状である。第３の壁部分２１は、第２の壁部分２０と同軸であるとともに、第３の壁部分２１と第２の壁部分２０との間にルーメン２６が形成されるように第２の壁部分２０の内側で延びる。
【００２３】
図６から最も良く分かるように、フランジ部分１４は、コネクタ２の近位端と遠位端との中間で第２の壁部分２０と第３の壁部分２１との間の接続部を形成し、この場合、挿入部分１７がコネクタ２の遠位端に位置されるとともに、機械コネクタ部分１３がコネクタ２の近位端に位置される。挿入部分１７の第１の壁部分１８は、第１の壁部分１８の内面２４から第１の壁部分１８の外面２５まで径方向にとられた厚さＴ１を有する。機械コネクタ部分１３は、第３の壁部分２１の内面２２から第２の壁部分２０の外面２３まで径方向にとられた厚さＴ２を有する。厚さＴ２は、厚さＴ１の少なくとも２倍である。好ましくは、Ｔ２はＴ１の約３〜４倍である。フランジ部分１４は、好ましくは、第１の壁部分１８から径方向に延び、機械コネクタ部分１３の第２の壁部分２０を越えて延びてもよい。これにより、切り欠き及び孔１５，１６を設けることができる。明らかに、フランジ部分は、多くの形態をとることができ、簡単な実施形態では、第２の壁部分２０の外面２３までしか延びなくてもよい。同様に、第１の壁部分１８から第２の壁部分２０への移行部は、気道チューブ５の近位端の形態及び気道チューブの近位端にある孔に応じて図示の実施形態よりも更に湾曲されて滑らかであってもよい。
【００２４】
基本的に、フランジ部分１４は環状リング２７によって形成され、この環状リング２７から壁部分１８，２０，２１が延びる。第１の壁部分１８と第３の壁部分２１とは、環状リング２７の内縁から反対方向に延び、一方、第２の壁部分２０は、環状リング２７の外縁から延びる。したがって、環状リング２７は、第３の壁部分２１と第２の壁部分２０との間に形成されるルーメン２６を画定する底壁を形成する。第１の壁部分１８と第３の壁部分２１とによって、コネクタ２の内径Ｄを有する長手方向貫通孔１２が形成される。そのため、第１の壁部分１８及び第３の壁部分２１は、実質的に、孔１２の全長にわたって同じ内径Ｄを有する。したがって、孔１２は、周方向及び長手方向のいずれにおいても滑らかで連続的な孔面を有する。特にフランジ部分１４の近傍において、これは、突出リムを有する抜出通路が設けられる特許文献２の従来技術よりも有利である。それは、これらの特徴が、本考案の滑らかな貫通孔１２と比べて射出成形を複雑にするからである。
【００２５】
本考案に係る実施形態によってもたらされるデッドスペースの減少は、小児気道装置に関して、機械コネクタ部分１３の厚さが第１の壁部分１８の厚さよりも実質的に厚くない第１及び第２の壁部分のみを有するレガシーコネクタと比べて約５０％又はそれ以上デッドスペースを減らす。小児気道装置において、そのようなデッドスペースの減少は、かなりの臨床的差異を有し得る。特に、それは、コネクタ２のデッドスペースが気道装置の全デッドスペースのかなりの部分を構成する小児用又は乳児用の気管内チューブと共にコネクタが使用されるときに当てはまる。これは、気管内チューブが１〜２ｍｍほどの小さい直径のルーメンを有する場合があるからである。
【００２６】
望ましければ、第２の壁部分２０と第３の壁部分２１との間のルーメン２６には、ＵＶ硬化接着剤などの成形材料が充填されてもよい。或いは、ルーメン２６を伴わずに機械コネクタ部分１３を一体成形することによってデッドスペースが減少されたコネクタ２が提供されてもよく、この場合、機械コネクタ部分１３は１つの壁部分のみを備える。このとき、機械コネクタ部分を形成する壁部分の厚さは、厚さＴ１の少なくとも２倍以上の厚さＴ２を有するべきである。しかしながら、そのような手法は、成形後に機械コネクタ部分の反りを回避して標準規格の機械コネクタ部分のために必要とされる公差に適合するべく製造プロセス中に冷却も必要とする。そのため、そのような形態を有するコネクタ２は、図２〜図６に描かれるコネクタ２と比べてコストが高く製造が煩雑であり、この場合、デッドスペースの減少は、コネクタ２のデッドスペースを減らすように第３の壁部分２１を設けることによってもたらされる。
【図１】
0003217511.tif 000003
【図２】
0003217511.tif 000004
【図３】
0003217511.tif 000005
【図４】
0003217511.tif 000006
【図５】
0003217511.tif 000007
【図６】
0003217511.tif 000008
【手続補正書】
【提出日】平成30年1月22日(2018.1.22)
【手続補正２】
【補正対象書類名】実用新案登録請求の範囲
【補正対象項目名】全文
【補正方法】変更
【補正の内容】
【実用新案登録請求の範囲】
【請求項１】
患者内へ挿入されるようになっている気道チューブ（５）であって、該気道チューブ（５）の近位端から遠位端まで延びる孔を有する気道チューブ（５）と、前記気道チューブ（５）の前記近位端に接続され、長手方向孔（１２）を有するコネクタ（２）とを含む人工気道装置（１）であって、前記コネクタ（２）は、
フランジ部分（１４）から延びて、前記気道チューブ（５）の前記近位端で前記孔内へ挿入できるようになっている第１の壁部分（１８）と、
前記第１の壁部分（１８）とは反対の方向で前記フランジ部分（１４）から延びて、呼吸機器に接続できるようになっている第２の壁部分（２０）と、
前記第１の壁部分（１８）とは反対の方向で前記フランジ部分（１４）から延びる第３の壁部分（２１）と、を備え、
前記第１の壁部分（１８）に、細長いスロット（１９）が設けられている、
ことを特徴とする、人工気道装置（１）。
【請求項２】
前記コネクタ（２）の前記長手方向孔（１２）が前記第１の壁部分（１８）と前記第３の壁部分（２１）とによって形成される請求項１に記載の人工気道装置（１）。
【請求項３】
前記第３の壁部分（２１）が前記第２の壁部分（２０）の内側で延びる請求項１又は２に記載の人工気道装置（１）。
【請求項４】
前記第１の壁部分（１８）、前記第２の壁部分（２０）および前記第３の壁部分（２１）が円筒形状である請求項１から３のいずれか一項に記載の人工気道装置（１）。
【請求項５】
前記第２の壁部分（２０）と前記第３の壁部分（２１）とが同軸である請求項４に記載の人工気道装置（１）。
【請求項６】
前記長手方向孔（１２）は、少なくとも前記フランジ部分（１４）付近で周方向及び長手方向のいずれにおいても滑らかで連続的な孔面を有する請求項１から５のいずれか一項に記載の人工気道装置（１）。
【請求項７】
前記人工気道装置（１）は、声門上気道装置であり、好ましくは喉頭マスクである請求項１から６のいずれか一項に記載の人工気道装置（１）。
【請求項８】
前記人工気道装置（１）が気管内チューブである請求項１から７のいずれか一項に記載の人工気道装置（１）。
【請求項９】
近位端から遠位端まで延びる孔を有する気道チューブ（５）の前記近位端に接続されるようになっている、長手方向孔（１２）を有するコネクタ（２）であって、
フランジ部分（１４）から延びて、前記気道チューブ（５）の前記近位端で前記孔内へ挿入できるようになっている第１の壁部分（１８）と、
前記第１の壁部分（１８）とは反対の方向で前記フランジ部分（１４）から延びて、呼吸機器に接続できるようになっている第２の壁部分（２０）と、
前記第１の壁部分（１８）とは反対の方向で前記フランジ部分（１４）から延びる第３の壁部分（２１）と、を備え、
前記第１の壁部分（１８）に、細長いスロット（１９）が設けられている、
ことを特徴とする、コネクタ（２）。
【手続補正書】
【提出日】平成30年6月4日(2018.6.4)
【手続補正１】
【補正対象書類名】実用新案登録請求の範囲
【補正対象項目名】全文
【補正方法】変更
【補正の内容】
【実用新案登録請求の範囲】
【請求項１】
患者内へ挿入されるようになっている気道チューブ（５）であって、該気道チューブ（５）の近位端から遠位端まで延びる孔を有する気道チューブ（５）と、前記気道チューブ（５）の前記近位端に接続され、長手方向孔（１２）を有するコネクタ（２）とを含む人工気道装置（１）であって、前記コネクタ（２）は、
フランジ部分（１４）から延びて、前記気道チューブ（５）の前記近位端で前記孔内へ挿入できるようになっている第１の壁部分（１８）と、
前記第１の壁部分（１８）とは反対の方向で前記フランジ部分（１４）から延びて、呼吸機器に接続できるようになっている第２の壁部分（２０）と、
前記第１の壁部分（１８）とは反対の方向で前記フランジ部分（１４）から延びる第３の壁部分（２１）と、を備え、
前記第１の壁部分（１８）に、細長いスロット（１９）が設けられている、
ことを特徴とする、人工気道装置（１）。
【請求項２】
前記コネクタ（２）の前記長手方向孔（１２）が前記第１の壁部分（１８）と前記第３の壁部分（２１）とによって形成される請求項１に記載の人工気道装置（１）。
【請求項３】
前記第３の壁部分（２１）が前記第２の壁部分（２０）の内側で延びる請求項１又は２に記載の人工気道装置（１）。
【請求項４】
前記第１の壁部分（１８）、前記第２の壁部分（２０）および前記第３の壁部分（２１）が円筒形状である請求項１から３のいずれか一項に記載の人工気道装置（１）。
【請求項５】
前記第２の壁部分（２０）と前記第３の壁部分（２１）とが同軸である請求項４に記載の人工気道装置（１）。
【請求項６】
前記長手方向孔（１２）は、少なくとも前記フランジ部分（１４）付近で周方向及び長手方向のいずれにおいても滑らかで連続的な孔面を有する請求項１から５のいずれか一項に記載の人工気道装置（１）。
【請求項７】
前記人工気道装置（１）は、声門上気道装置である請求項１から６のいずれか一項に記載の人工気道装置（１）。
【請求項８】
前記人工気道装置（１）が気管内チューブである請求項１から７のいずれか一項に記載の人工気道装置（１）。
【請求項９】
近位端から遠位端まで延びる孔を有する気道チューブ（５）の前記近位端に接続されるようになっている、長手方向孔（１２）を有するコネクタ（２）であって、  フランジ部分（１４）から延びて、前記気道チューブ（５）の前記近位端で前記孔内へ挿入できるようになっている第１の壁部分（１８）と、
前記第１の壁部分（１８）とは反対の方向で前記フランジ部分（１４）から延びて、呼吸機器に接続できるようになっている第２の壁部分（２０）と、
前記第１の壁部分（１８）とは反対の方向で前記フランジ部分（１４）から延びる第３の壁部分（２１）と、を備え、
前記第１の壁部分（１８）に、細長いスロット（１９）が設けられている、
ことを特徴とする、コネクタ（２）。